(57)【要約】【課題】太陽電池モジュールを備えたパネル及びこれを用いた建築物外装材であって、部品を単純化させ、太陽電池モジュール相互間の通電を単純構造設計によって可能とすることにより、太陽電池モジュールを備えたパネルの設置工程の容易化を図ることができるようにする。【解決手段】一側角部に固定部を有するボディと；前記固定部に隣接するボディの２辺から上面に向けて折り曲げられた第１装着部、および前記固定部から離隔した２辺から下面に向けて折り曲げられた第２装着部からなる装着部と；前記ボディの上面に結合される太陽電池モジュールと；を含んでなる太陽電池モジュールを備えたパネル、及び前記パネルからなる建築物外装材。【選択図】図３
2016506466.tif 000002
【特許請求の範囲】
【請求項１】
一側角部に固定部を有するボディと；
前記固定部に隣接するボディの２辺から上面に向けて折り曲げられた第１装着部、および前記固定部から離隔したボディの２辺から下面に向けて折り曲げられた第２装着部からなる装着部と；
前記ボディの上面に結合される太陽電池モジュールと；
を含んでなることを特徴とする、太陽電池モジュールを備えたパネル。
【請求項２】
請求項１の太陽電池モジュールを含むパネル；が複数個備えられ、
前記各パネルの第１装着部と第２装着部とが相互結合されてなり、
前記太陽電池モジュールは、前記ボディの固定部を挟む両角部に隣接した第１装着部の端部にそれぞれ形成される陽電極および陰電極に接続され、
前記パネルの相互間で各太陽電池モジュールの陽電極と陰電極が互いに直列接続されて通電方向がパネルボディの対角線方向に形成されることを特徴とする、太陽電池モジュールを備えたパネルからなる建築物外装材。
【請求項３】
請求項１の太陽電池モジュールを含むパネル；が複数個備えられ、
前記各パネルの第１装着部と第２装着部が相互結合されてなり、
前記太陽電池モジュールは、前記ボディの固定部に隣接する第１装着部のうちのいずれか一つの両端にそれぞれ形成された陽電極および陰電極に接続され、
前記パネルの相互間で各太陽電池モジュールの陽電極と陰電極が互いに直列接続されて通電方向がパネルボディの一辺に沿って直線方向に形成されることを特徴とする、太陽電池モジュールを備えたパネルからなる建築物外装材。
【請求項４】
前記パネルの第１装着部の間には、相互接続されるパネル間の陽電極と陰電極を接続して通電させるとともに、相互結合される装着部の間隙を介してパネルの内部に水分が浸透することを防止するために、通電手段を有する水分浸透防止アセンブリがさらに備えられることを特徴とする、請求項２または請求項３に記載の太陽電池モジュールを備えたパネルからなる建築物外装材。
【発明の詳細な説明】
【技術分野】
【０００１】
本発明は、太陽電池モジュールを備えたパネル及びこれを用いた建築物外装材に関する。さらに詳しくは、本発明は、建築物の外装材、特に屋根の代用として使用可能なパネルおよびこれを用いた建築物外装材に係り、太陽電池モジュールを備えたパネルが、上面と下面に向けてそれぞれ折り曲げられた第１装着部と第２装着部を含む四角板状のボディからなるようにして部品を単純化させ、太陽電池モジュール相互間の通電を単純構造設計によって可能とすることにより、太陽電池モジュールを備えたパネルの設置工程の容易化を図ることができるようにする、太陽電池モジュールを備えたパネル及びこれを用いた建築物外装材に関する。
【背景技術】
【０００２】
建築物の内外装用パネル、特に屋根に設置されるパネルは、断熱および防水を実現できるように構成され、従来から石材パネルまたは金属パネルが多く使用されてきた。そして、技術の発展に伴う様々な電子製品の活用や、地球温暖化などに伴う異常気候の発生により夏季および冬季に冷暖房機の使用が急増するにつれて電力消費量も急増し、それによる国家的な対策が急がれている。このような問題を解決し且つユーザーに電力消費に伴うコスト負担を減らすことを可能にする案が、まさに太陽電池を活用した方案である。
【０００３】
太陽電池とは、太陽光を用いて無制限の電力を自家発電させて建築物の電力消費に利用することにより、電力消費の急増による問題を解決するための代表的な方案といえる。
【０００４】
この種の太陽電池は、多くの技術発展により発電効率が大きく上昇したが、未だ満足すべき成果を得ることはできなかった。よって、現在の太陽電池を活用するには多くの設置空間が必要となる。このような空間的制約を解決するために、多くの建築物が、屋根や外壁に太陽電池モジュールを一体化して外装材として活用することにより、前述の問題点を解決している。
【０００５】
このような太陽電池モジュールを活用したパネルまたは建築物の屋根や外壁を構成する外装材の従来技術としては、大韓民国登録特許公報第１０−０８６９６５５号（２００８年１１月１２日）がある。該発明は、太陽エネルギーを収集することができるように建物の屋根パネルなどに設置される屋根パネル用太陽電池モジュール、およびこれを用いた太陽エネルギー収集装置に関するものである。
【０００６】
他の従来技術としては大韓民国登録特許公報第１０−０２５１０６９号（２０００年１月１０日）がある。該発明では、光起電力素子が補強板に固定され、前記光起電力素子から外部へ電力を取り出す複数のジャンクションボックスが補強板の反受光面側上に提供され、ジャンクションボックスの高さよりさらに高い高さを持つ第１スペーサ部材は補強板の２つの反対側面に沿って配置され、第２スペーサ部材は前記複数のジャンクションボックスの間に配置されるように構成されている。太陽電池モジュールが屋根に適用されるとき、第１スペーサ部材は屋根基板材上に固定され、屋根材と屋根基板材との間に限られた空間は外部の空気に開放され、その空間は棟（ｒｉｄｇｅ）で家の内部と連通する太陽電池モジュール及びこの太陽電池モジュール一体型屋根材に関するものである。
【０００７】
別の従来技術としては大韓民国公開特許公報第１０−２００９−００８５１１２号（２００９年８月６日）がある。該発明は、屋根システムの構成要素に固定された一つ以上の太陽電池板を含む、屋根構造物に配置されるエネルギー発生システムに関するもので、太陽電池パネルは、屋根システムの構成要素と一体型であるフックおよびループ締結具で屋根システムの構成要素に固定される屋根メンブレンに対する太陽電池板のフックおよびループ付着に関するものである。
【０００８】
その他、従来技術としては大韓民国登録特許公報第１０−０９８９５９９号（２０１０年１０月２５日）がある。該発明は、電気的に接続されている複数の太陽電池、前記太陽電池に接続されている複数の配線、および前記太陽電池とラミネートされており、前記配線が内部に埋め込まれているジャンクションボックスを含む少なくとも一つの屋根材を含んでなり、前記屋根材は隣接する屋根材と雌雄結合方式で結合されており、電気的に接続されることにより、出力を向上させるうえ、施工が簡便である、太陽電池を含む屋根に関するものである。
【０００９】
ところが、これらの発明は、いずれも太陽電池（モジュール）から発生する電気のための複数の配線などのために別途のジャンクションボックス（スペース部材）などが必要であって空間的制限があるうえ、その製作も難しく、複雑な配線による接続などによって屋根材（以下、「パネル」と総称する）の設置が容易でないという問題点がある。
【発明の概要】
【発明が解決しようとする課題】
【００１０】
そこで、本発明は、前述したような問題点を解決するために案出されたもので、その目的は、太陽電池モジュールを含むパネルの製作を容易にし、配線のための別途の空間を必要としないため、製作コストの低減を図るとともに、屋根材などとしての設置の際に便宜性を保障できるように、ボディの外周縁を成す辺のうち、２辺は上面に向けて折り曲げられた第１装着部を有し、残りの２辺は下面に向けて折り曲げられた第２装着部を有する、太陽電池モジュールを備えたパネルを提供することにある。
【００１１】
また、本発明は、太陽電池モジュールを備えたパネルの設置および組立を非常に容易に行うことができるように、上述のパネルが複数個備えられ、各パネルの第１装着部と第２装着部とが互いに結合されて構成されるようにし、別途の配線およびこのための空間などを必要としないため、製作および設置コストの低減を図るとともに、設置および組立の際に作業者の便宜性を保障できるように、
ボディの両角部に備えられた陽電極と陰電極に太陽電池モジュールが接続されてパネルの設置時にパネルの相互間が直列接続されることにより、太陽電池モジュールから発生する電気がパネルボディの対角線方向に通電するようにするか、或いは
ボディの一辺の両端に備えられた陽電極と陰電極に太陽電池モジュールが直接接続されてパネルの設置時にパネルの相互間が直列接続されることにより、太陽電池モジュールから発生する電気がパネルボディの一辺に沿って直線方向に通電する、
太陽電池モジュールを備えたパネルからなる建築物外装材を提供することを目的とする。
【００１２】
また、本発明は、互いに連続して接続、結合されるパネル間の間隙を介して雨水などの水分が浸透することにより、漏水や太陽電池モジュールの故障または寿命低下などの問題点を防止するとともに、電線などの配線接続なしでパネルの相互間が直接結合され、太陽電池モジュールの相互間で電気が通電するように各パネルの接続部の間に通電機能付き水分浸透防止アセンブリを備える、太陽電池モジュールを備えたパネルからなる建築物外装材を提供することを目的とする。
【課題を解決するための手段】
【００１３】
上記目的を達成するために、本発明に係る太陽電池モジュールを備えたパネルは、
一側角部に固定部を有するボディと；
前記固定部に隣接するボディの２辺から上面に向けて折り曲げられた第１装着部、および前記固定部から離隔したボディの２辺から下面に向けて折り曲げられた第２装着部からなる装着部と；
前記ボディの上面に結合される太陽電池モジュールと；を含んでなる。
【００１４】
また、本発明に係る太陽電池モジュールを備えたパネルからなる建築物外装材は、
前記パネルが複数個備えられ、
前記各パネルの第１装着部と第２装着部とが相互結合されて構成されるが、
前記太陽電池モジュールは、前記ボディの固定部を挟む両角部に隣接した第１装着部の端部にそれぞれ形成される陽電極および陰電極に接続され、
前記パネルの相互間で各太陽電池モジュールの陽電極と陰電極が互いに直列接続されて通電方向がパネルボディの対角線方向に形成されることを特徴とする。
【００１５】
また、本発明に係る太陽電池モジュールを備えたパネルからなる建築物外装材は、
前記パネルが複数個備えられ、
前記各パネルの第１装着部と第２装着部が相互結合されて構成されるが、
前記太陽電池モジュールは、前記ボディの固定部に隣接する第１装着部のうちのいずれか一つの両端にそれぞれ形成された陽電極および陰電極に接続され、
前記パネルの相互間で各太陽電池モジュールの陽電極と陰電極が互いに直列接続されて通電方向がパネルボディの一辺に沿って直線方向に形成されることを特徴とする。
【００１６】
また、本発明に係る太陽電池モジュールを備えたパネルからなる建築物外装材において、前記パネルの第１装着部の間には、
相互接続されるパネル間の陽電極と陰電極を接続して通電させるとともに、相互結合される装着部の間隙を介してパネルの内部に水分が浸透することを防止するために通電機能を有する水分浸透防止アセンブリがさらに備えられることを特徴とする。
【発明の効果】
【００１７】
本発明に係る太陽電池モジュールを備えたパネルは、上面に太陽電池モジュールを備え、構造の単純な装着部を導入することにより、製作の容易化を図るうえ、製作コストを低減させることができる。
【００１８】
また、本発明に係る太陽電池モジュールを備えたパネルからなる建築物外装材は、
上述した多数のパネルの第１装着部と第２装着部が互いに連続的に結合して構成されるようにすることにより、屋根材の設置および組立が非常に容易になり、
パネルのボディの両角部に備えられた陽電極と陰電極に太陽電池モジュールが接続され、パネルの設置時に各パネルの陽電極と陰電極が互いに直列接続されることにより、太陽電池モジュールから発生する電気エネルギーがパネルボディの対角線方向に通電するか、
或いは
ボディの一辺の両端に備えられた陽電極と陰電極に太陽電池モジュールが直接接続され、パネルの設置時に各パネルの陽電極と陰電極が互いに直列接続されることにより、太陽電池モジュールから発生する電気エネルギーがパネルボディの一辺に沿って直線方向に通電するようにすることで、
太陽電池モジュールに接続された別途の配線およびこのための余裕空間などが必要とされないため、製作および設置コストの低減を図るとともに、パネルの設置および組立の際に作業者に便宜性を保障することができる。
【００１９】
さらに、本発明に係る太陽電池モジュールを備えたパネルからなる建築物外装材は、
各パネルの接続部の間に通電機能付き水分浸透防止アセンブリを導入することにより、互いに連続して結合されたパネル同士の間の間隙を介して雨水などの水分が浸透して発生する屋根内への漏水や漏電による故障などを防止するとともに、
電線などの配線接続を最小化して、建築物外装材の設置時間を短縮するうえ、作業の容易性を保障することができる。
【図面の簡単な説明】
【００２０】
【図１】本発明に係るパネルの斜視図と結合構造図である。
【図２】本発明に係る建築物外装材の第１実施例を概略的に示す平面図である。
【図３】本発明に係る建築物外装材の第１実施例を示す平面図および要部拡大図である。
【図４】本発明の建築物外装材の第１実施例に係る水分浸透防止アセンブリのみを別に示す結合斜視図である。
【図５】本発明に係る第１実施例の結合関係を示す斜視図である。
【図６】本発明に係る建築物外装材の第２実施例を概略的に示す平面図である。
【図７】本発明に係る建築物外装材の第２実施例を示す平面図および要部拡大図である。
【図８】本発明に係る第２実施例の結合過程を概略的に示す平面図である。
【図９】本発明に係る接続ブロックの変形例を概略的に示す平面図である。
【発明を実施するための形態】
【００２１】
本発明は多様な変更を加えることができ、様々な形態を持つことができる。その具現例（態様、ａｓｐｅｃｔ）（または実施例）をここに詳細に説明する。しかし、これは本発明を特定の開示形態について限定しようとするものではなく、本発明は、その思想及び技術範囲に含まれるすべての変更、均等物ないし代替物を含むものと理解されるべきである。
【００２２】
各図面において、同一の参照符号、特に十の桁及び一の桁、または十の桁、一の桁及びアルファベットが同じ参照符号は同一または類似の機能を持つ部材を示し、特に言及がない場合、図面の各参照符号が指し示す部材はこのような基準に準ずる部材として把握すればよい。
【００２３】
また、各図面において、構成要素は、理解の便宜などのために、大きさや厚さを誇張して大きく（または厚く）或いは小さく（または薄く）表現しているか単純化して表現しているが、これによって本発明の保護範囲が制限的に解釈されてはならない。
【００２４】
本明細書で使用した用語は、特定の具現例（または実施例）を説明するために使用されたもので、本発明を限定しようとするものではない。単数の表現は、文脈上特に明記しない限り、複数の表現を含む。
【００２５】
本出願において、「含む」または「からなる」などの用語は、明細書上に記載した特徴、数字、段階、動作、構成要素、部分品またはこれらの組み合わせが存在することを指定しようとするものであり、一つまたはそれ以上の他の特徴、数字、段階、動作、構成要素、部分品またはこれらの組み合わせなどの存在または付加の可能性を予め排除しないものと理解されるべきである。
【００２６】
特に他に定義しない限り、技術用語や科学用語を含んでここで使われるすべての用語は、本発明の属する技術分野における通常の知識を有する者によって一般的に理解されるものと同じ意味を持っている。一般的に使われる辞典に定義されているような用語は、関連技術の文脈上で持つ意味と一致する意味を持つものと解釈されなければならず、本明細書で明らかに定義しない限り、理想的な意味または過度に形式的な意味に解釈されない。
【００２７】
本明細書において記載した「第１」、「第２」などは、互いに異なる構成要素を区分するためのものに過ぎず、製造された順序に拘らないものであり、発明の詳細な説明と請求の範囲においてその名称が一致しないこともある。
【００２８】
本発明に係る太陽電池モジュールを備えるパネルおよびこれを用いた建築物外装材を説明するにあたり、便宜のために、厳しくない大略の方向基準を図１のＡ、図３および図７を参照して特定すると、図示のままの状態で上下左右を定め、ａ方向を上面、ｂ方向を下面に定める。
【００２９】
また、本発明に係る太陽電池モジュールを備えたパネルおよびこれを用いた建築物外装材を説明するにあたり、建築物外装材とは、建築物の建築の際に屋根または外壁として直接活用されるか、或いは既に建築された建築物に追加して太陽電池モジュールを利用することが可能な建築物外装材を含むものである。本詳細な説明では説明の便宜のために屋根材を代表的に説明するが、本発明の権利解釈は本発明の詳細な説明に提示されるものに限定されない。
【００３０】
本明細書において、図１、図２及び図６は、説明の便宜のために、太陽電池モジュールを省略した。
【００３１】
以下、本発明に係る太陽電池モジュールを備えたパネル及びこれを用いた建築物外装材を添付図面に基づいて説明する。
【００３２】
図１に示すように、本発明に係る太陽電池モジュールを備えたパネル１０は、一側角部に固定部１２を有するボディ１１と；
前記固定部１２に隣接したボディ１１の２辺から上面に向けて折り曲げられた第１装着部１３、および前記固定部１２から離隔した２辺から下面に向けて折り曲げられた第２装着部１４からなる装着部と；
前記ボディ１１の上面に結合される太陽電池モジュール１５（図３及び図７参照）と；を含んでなる。
【００３３】
前記ボディおよび装着部に関する構成は、本発明の出願人が先出願して登録した韓国登録実用新案第２０−０３２７０５７号（２００３年９月５年）の建築物内外装用小はぜ継ぎ型パネルを用いることができ、以下では、前記パネルを詳細に説明する。
【００３４】
また、前記ボディは、四角板の形状だけでなく、多角形のいずれの形状（例えば、正三角形や六角形など）からなってもよく、四角形ではなく他の多角形の形状からなる場合には、前記第１装着部と第２装着部の個数（例えば、三角形の場合は、固定部を挟んで両辺に第１装着部と第２装着部がそれぞれ形成）または形成位置（例えば、六角形の場合は、固定部を挟んで両辺に第１装着部を形成し、第１装着部と反対方向の両辺に第２装着部を形成）を異ならせて多様に変形できる。これは、当業者であれば十分に予測して修正、変更、置換できる。
【００３５】
前記ボディ１１は、その対角線方向を建築物の屋根や外壁の水平または垂直方向に一致させることにより、ボディ１１の対角線方向に他のパネル１０を連続的に接続して結合することができる。また、建築物の形態に応じて、ボディ１１の対角線方向ではなく、一列に配列して結合することも可能である。
【００３６】
前記ボディ１１の一側角部に備えられた固定部１２には、別途の固定部材と結合できる通孔１２ａが設けられており、パネル１０の設置の際に、屋根にねじや釘などで固定して結合させることができる。
【００３７】
次いで、図１の［Ａ］に示すように、装着部を構成する第１装着部１３は、パネル１０の４頂点を適切に切断（点線部分）した後、固定部１２を挟んで形成される２辺、すなわち、固定部１２に隣接した２辺から、ボディ１１の上面に平行となるように上面に向けて折り曲げられて形成される。
【００３８】
装着部を構成する第２装着部１４は、前記第１装着部１３の反対側、すなわち、前記固定部１２から離隔した２辺から、下面に平行となるように下面に向けて折り曲げられて形成される。
【００３９】
図１の［Ｃ］に示すように、パネル１０の第１装着部１３は、他のパネル１０Ａの第２装着部１４と結合接続される。そして、このような構造が反復的に連結されて本発明に係る建築物外装材が形成される。つまり、１つのパネル１０を建築物の屋根に固定部１２を用いて固定した後、他のパネル１０Ａの第２装着部１４を固定されたパネル１０の第１装着部１３に挿入して結合した後、結合されたパネル１０の固定部１２を用いて建築物の屋根に固定させる。このような設置が繰り返し行われることにより、本発明に係る建築物外装材が完成される。よって、本発明は、作業の容易性を確保することができる。
【００４０】
前記パネル１０は、鉄材やステンレスなどの様々な材質で構成されてもよく、やや弾性のある材質で構成されてもよい。
【００４１】
次に、前記ボディ１１の上面に結合される太陽電池モジュール１５は、図３に示すように、太陽の光を受ける受光部１５ａと、この受光部１５ａから発生した電気エネルギーを二極化して別個の電気供給装置または電気蓄積装置へ供給するエネルギー供給部１５ｂなどから構成できる。前記太陽電池モジュール１５は、光電効果を利用して電気エネルギーを生産するもので、ｎ型半導体とｐ型半導体（受光部１５ａ）で太陽光によって電子とホールが生成され、生成されたホールが電極へ移動して（エネルギー供給部１５ｂ）電気エネルギーの利用を可能にする。
【００４２】
前記太陽電池モジュール１５は、結晶型太陽電池、薄膜系太陽電池（ＣＩＧＳ）、次世代太陽電池（ＤＳＳＣ）などの様々なものが使用できるが、製造コストおよび体積などを考慮してガラスやプラスチックなどを基板として使用し、その上に薄膜状に化学材料を蒸着してなる薄膜系太陽電池がより好ましい。
【００４３】
前記受光部１５ａを構成する半導体は、シリコン半導体や化合物半導体などの様々なものが使用できる。電気エネルギーを発生させる最小単位であるセルが複数個結集されてモジュールを構成し、該モジュールが複数個備えられて太陽電池モジュール１５の受光部１５ａを構成することができる。
【００４４】
本明細書において、太陽電池モジュール１５とは、１つのパネル１０に備えられる太陽電池全体を説明するための名称であり、太陽電池の単位として通常使用されるモジュールに限定されてはならない。
【００４５】
前記太陽電池モジュール１５において、前記受光部１５ａないしエネルギー供給部１５ｂなどを接続する配線材料は、銅箔のパターンを印刷または蒸着して構成されるか、その他に太陽電池に使用される様々な方法で構成できる。
【００４６】
そして、前記受光部１５ａないしエネルギー供給部１５ｂは、互いに直列または並列接続されて電気エネルギーを供給することができる。このとき、上述したように、本発明に係る建築物外装材は、複数のパネル１０が互いに結合されて構成されるように、各パネル１０間の電気エネルギー移送（通電）のための配線が必要である。
【００４７】
このため、本発明に係る建築物外装材は、各パネル１０が互いに直列接続されて別個の電気供給装置または電気蓄積装置などに接続されることにより、別途の付随的な配線（電線）などを必要とすることなく、太陽電池モジュールを備えたパネルを用いた建築物外装材の設置及びメンテナンスの便宜性を提供する。
【００４８】
このための本発明に係る太陽電池モジュールを備えたパネルからなる建築物外装材の第１実施例として、図２に示すように、前記太陽電池モジュール１５は、前記ボディ１１の固定部１２を挟む両角部に隣接した第１装着部１３の端部にそれぞれ形成される陽電極および陰電極に接続され、前記パネル１０の相互間で各太陽電池モジュール１５の陽電極と陰電極が互いに直列接続されて通電方向がパネル１０のボディ１１の対角線方向に形成されることが好ましい。
【００４９】
すなわち、図２に矢印で示したように、それぞれのパネル１０、より詳しくは、パネル１０に備えられた太陽電池モジュール１５から発生する電気エネルギーは、互いに直列接続されて最外側に備えられた一つの陽電極と陰電極に集まることになる。この陽電極と陰電極を別個のエネルギー供給装置またはエネルギー貯蔵装置などに電線などを用いて接続することにより、電気エネルギーの通電がなされる。
【００５０】
図２では説明の便宜のために太陽電池パネル１０の詳細構成を省略し、陽電極（＋）と陰電極（−）のみを示しているが、図３から確認できるように、本発明の太陽電池モジュール１５は、エネルギーを発生させる受光部１５ａと、発生したエネルギーを伝達するエネルギー供給部１５ｂが別個に備えられて直／並列接続できるので（図３では代表的に受光部１５ａが直列接続されている場合を示している）、図２の陽電極および陰電極の表示により、本発明の電気エネルギー伝達のための図示が混同されてはならない。
【００５１】
図２に示した陽電極（＋）と陰電極（−）は、説明の便宜のための図示であり、パネル１０のボディ１１および装着部のいずれか一箇所に形成できる。しかし、本発明に係る太陽電池モジュール１５を備えたパネル１０からなる建築物外装材は、電気エネルギー配線のための別途の構成を省略して設置およびメンテナンスの便宜性または容易性を提供することに目的があるので、前記陽電極（＋）と陰電極（−）は、前記ボディ１１の固定部１２を挟む両角部に隣接した第１装着部１３の端部にそれぞれ形成されることがより好ましい。また、図２に示した電気エネルギーの通電方向（電流の移動方向）は、陽電極（＋）と陰電極（−）の反対の構成によって逆方向に変わり得るのはもちろんである。
【００５２】
次に、本発明は、上述したパネル１０間の直列接続のためにパネル１０の相互間で接続される電線などの電気配線を省略することにより、構造の単純化、それによる生産コストの低減、並びに設置およびメンテナンスの容易性の最大化を図ることができる。このため、本発明は、前記パネル１０の固定部に隣接する第１装着部１３同士の間には、相互接続されるパネル１０の陽電極（＋）と陰電極（−）を接続して通電させるアセンブリが備えられることが好ましい。
【００５３】
前記アセンブリは、パネル相互間の通電だけでなく、相互接続されるパネル１０同士の間に発生する間隙（隙間）を介して雨水などの水分が外装材内に浸透して建築物の内部に漏水が起こったり漏電により火災が起こったりするなどの問題点を防止するために、水分逆流浸透機能を有することが好ましい。
【００５４】
このため、前記水分浸透防止アセンブリは、図４及び図５に示すように、胴部２１、前記胴部２１の両側に形成されてパネル１０の第１装着部１３に挿入される翼部２２、および前記胴部２１の上面に突設される突出部２３からなる通電ブロック２０と、
パネル１０の第２装着部１４に固定され、前記通電ブロック２０に結合される接続ブロック３０と、
接続されるパネル１０同士を互いに通電させる通電手段と、を含んでなる。図４では説明の便宜のためにパネルを省略した水分浸透防止アセンブリのみを示しており、パネルとの結合関係は図５から確認することができる。
【００５５】
前記通電ブロック２０は、防水性に優れると同時に、パネル１０同士の間の間隙に挿入されて結合されたとき、パネル１０の製作誤差によって間隙の差が発生しても、前記通電ブロック２０を所定の体積だけ大きく形成し、結合の際に締まりばめして微細な隙間までも完璧に遮断して水分の浸透を防止することができるように、弾性のあるゴムや合成樹脂などの材質で構成されることが好ましい。
【００５６】
前記胴部２１の下側面は、中央に向けて折り曲げられた「Ｖ」字状をし、パネル１０の第２装着部１４に密着して固定される接続ブロック３０との接触面（胴部２１の下側面と接続ブロック３０の上側面）に微細な隙間が発生しないことがある。
【００５７】
また、前記突出部２３は、通電ブロック２０の締まりばめの際に作業者が手で把持して加圧することができるハンドルの機能を有するとともに、通電ブロック２０が結合されたパネル１０よりも上方に組み立てられるパネル１０との間隙を密閉する機能を有する。
【００５８】
パネル１０相互間の通電のために、前記通電手段は、前記通電ブロック２０の胴部２１の下側面に形成されて互いに通電する一対の結合部２４と、
前記接続ブロック３０に形成されて前記陽電極（＋）または前記陰電極（−）と通電し、前記結合部に対応する対応結合部３４とから構成される。
【００５９】
前記結合部と対応結合部は、互いに通電する材質からなるのは勿論である。そして、前記結合部と対応結合部との結合は、様々な方式で行われるが、雌結合部２４と、これに対応する雄結合部３４によって行われることが好ましい。
【００６０】
図３〜図５では、前記胴部２１の下側面に一対の雌結合部２４が設けられ、接続ブロック３０には前記雌結合部２４に対応する雄結合部３４が設けられていることを確認することができ、これと反対の構成も可能である。
【００６１】
前記一対の雌結合部２４は、前記胴部２１内で互いに通電しなければならないが、このために、図３の要部拡大図に概略的に示されているように、一対の雌結合部２４を通電させる通電リボン２４Ａが備えられてもよい。前記通電リボン２４Ａは、伝導性の良い材質であって、銅などの電線または薄い金属材質の基板などから多様に形成できる。
【００６２】
前記雄結合部３４とパネル１０の陽電極（＋）または陰電極（−）との通電も、上述した通電リボン２４Ａを用いて接続ブロック３０内で相互接続されることによりなされることが好ましい。このとき、図２に示すように、最外側に結合されるパネル１０の相互間には、未通電区間Ｓが存在することがある。
【００６３】
前記未通電区間Ｓは、別個の電線などで接続して通電させることができ、より好ましくは、最外側に位置するパネル１０の一部に限ってパネル１０の第１装着部１３に対応するように、すなわち、第１装着部１３の隙間と同じ形状を持つように前記接続ブロック３０を変形させて固定させるが、
雄結合部３４が下側を向くように形成し、前記固定ブロックの一側翼部２２を除去し、胴部２１を前記変形接続ブロックと対応するように延設した後、上側面には前記雄結合部３４に結合される雌結合部２４を備えるようにすることにより、変形した通電ブロックの結合のみで未通電区間の通電を確保するとともに、水分浸透防止機能を同時に行うようにすることがさらに好ましい。
【００６４】
前記変形した通電ブロック２０および接続ブロック３０は、図示されてはいないが、上述した通電ブロック２０と接続ブロック３０の簡単な構造および模様の変更で修正または置換することができるのは当然であり、本発明の技術分野における通常の技術者（以下、当業者と称する）であれば十分に再現することができる。
【００６５】
後述する第２実施例に係る水分浸透防止アセンブリを活用する場合、より簡単に未通電区間の配線接続を行うことができる。したがって、本発明は、電線などの配線を最小化することにより、太陽電池モジュール１５を備えたパネル１０からなる建築物外装材の設置施工を非常に簡単に行うことができる。
【００６６】
次に、本発明の第２実施例を説明する。
【００６７】
本発明の第２実施例として、図７に示すように、前記太陽電池モジュール１５は、前記ボディ１１の固定部１２に隣接する第１装着部１３のいずれか一つの両端にそれぞれ形成された陽電極（＋）と陰電極（−）に接続され、
前記パネル１０の相互間で各太陽電池モジュール１５の陽電極（＋）と陰電極（−）が互いに直列接続され、通電方向がパネル１０のボディ１１の一辺に沿って直線方向に形成されることが好ましい。
【００６８】
すなわち、図５に示すように、上述した第１実施例は、通電手段を備えた水分浸透防止アセンブリを介して１つのパネル１０に結合される他のパネル１０Ａの相互間で通電が行われるが、これに対し、本発明の第２実施例は、
図８に示すように、設置されたパネル１０に結合される２つのパネル１０のいずれか一つ１０Ａと設置されたパネル１０との間で通電がなされるようにすることにより、上述した第１実施例で発生する未通電区間Ｓ（図６参照）を最小化することができる。
【００６９】
このために、前記通電手段は、図７の要部拡大図および図８に示すように、
前記通電ブロック２０の胴部２１の下側面と上側面にそれぞれ設けられて互いに通電する一対の結合部と、
前記接続ブロック３０に形成されて前記パネル１０の陽電極（＋）または陰電極（−）と通電し、前記胴部２１の下側面の結合部に対応する対応結合部と、
前記第１装着部１３から前記固定部１２に向かって延設される接続片に形成されて前記パネル１０の陽電極（＋）または陰電極（−）と通電し、前記胴部２１の上側面の結合部に対応する対応結合部とから構成される。
【００７０】
図７の要部拡大図では説明の便宜のためにパネルを省略しており、結合後の状態を示す。図８のＢでも説明の便宜のために、結合される他のパネルを省略している。図８における、着脱される接続ブロックの構成については詳細に後述する。
【００７１】
つまり、前記パネル１０は、第１装着部１３のいずれか（図８においては右側の第１装着部１３）に、前記パネルの陽電極（＋）または陰電極（−）と通電する対応結合部を有する接続片３１が形成されることにより、前記通電ブロック２０を前記パネル１０に結合するときに前記結合部が相互接続されて通電し、
前記パネル１０に他のパネル１０Ａ（図８において左側のパネル）が結合されながら、第２装着部１４の接続ブロック３０の対応結合部が前記通電ブロック２０の胴部２１の下側面の結合部に結合されて、パネル１０の一辺に隣接したパネル間の通電が可能となることにより、本発明の第２実施例に係るパネル１０の相互間でボディの一辺に沿って直線方向に直列接続が可能となる。
【００７２】
前記接続片３１の対応結合部と、前記パネル１０の第１装着部１３に形成される陽電極（＋）または陰電極（−）との通電は、上述した通電リボン２４Ａを用いて可能であり、図６〜図８では、前記結合部が上述の第１実施例と同様に雌結合部２４と雄結合部３４の形で示されていることを確認することができる。
【００７３】
また、本発明の第２実施例に係る残りの具体的な構成は、上述した第１実施例と大同小異なので、説明の便宜のために省略する。
【００７４】
次に、本発明に係る接続ブロック３０の他の具現例を説明する。
【００７５】
本発明に係る接続ブロック３０は、前記第２装着部１４に対して着脱可能に形成できる。着脱可能な接続ブロック３０を備えることにより、本発明は、上述した第１実施例及び第２実施例で電気エネルギーの通電方向、すなわち、建築物外装材の設置時の設置方向に沿って接続ブロック３０の結合をスムーズに行うことができるため、作業者の便宜を保障することができる。
【００７６】
また、図示してはいないが、前記接続片３１もパネル１０の第１装着部１３に対して着脱可能に形成できるのは勿論である。このとき、前記接続ブロック３０は、上述した通電ブロック２０と同様に、弾性のあるゴムやプラスチックなどの材質でできることが好ましい。
【００７７】
また、前記接続ブロック３０の対応結合部と前記パネル１０の第１装着部１３の陽電極（＋）または陰電極（−）との通電方式は、接触式などの様々な方式で行われ得る。
【００７８】
図８及び図９に示すように、前記接続ブロック３０には、前記第２装着部１４に拘束させながら陽電極（＋）または陰電極（−）に通電させる接続部材３２がさらに備えられることが好ましい。前記接続部材３２は、結合の容易性および通電機能を考慮して電線などの別途の部材で相互接続でき、導電性、可撓性材質からなることがさらに好ましい。
【００７９】
以上、本発明を説明するにあたり、添付図面を参照して、特定の形状および構造を持つ太陽電池モジュールを備えたパネル及びこれを用いた建築物外装材を中心に説明したが、本発明は当業者によって様々な修正、変更および置換が可能であり、それらの修正、変更および置換も本発明の保護範囲に属するものと解釈されるべきである。
【符号の説明】
【００８０】
１０    パネル
１１    ボディ
１２    固定部
１３    第１装着部
１４    第２装着部
１５    太陽電池モジュール
１６    陽電極
１７    陰電極
２０    通電ブロック
２１    胴部
２２    翼部
２３    突出部
２４    結合部
３０    接続ブロック
３１    接続片
３２    接続部材
３４    対応結合部
【図１】
2016506466.tif 000003
【図２】
2016506466.tif 000004
【図３】
2016506466.tif 000005
【図４】
2016506466.tif 000006
【図５】
2016506466.tif 000007
【図６】
2016506466.tif 000008
【図７】
2016506466.tif 000009
【図８】
2016506466.tif 000010
【図９】
2016506466.tif 000011
【国際調査報告】
2016506466.tif 000012
2016506466.tif 000013
2016506466.tif 000014
2016506466.tif 000015